(57)【特許請求の範囲】
【請求項１】
光源と、
前記光源からの光を反射する反射シートと、
表示パネルと、
前記表示パネルを支持する支持部材と、
前記支持部材の後面を部分的に覆うカバー部材とを備え、
前記支持部材は、前記反射シートの後面のうち中央部から所定距離の範囲に接触するように、前記反射シートに向かって窪んだ第１凹部を有する、表示装置。
【請求項２】
前記第１凹部は、前記カバー部材で覆われている領域に配置されている、請求項１に記載の表示装置。
【請求項３】
前記反射シートの後面と接触する前記第１凹部の前面の領域のうちの外縁部に対応する領域の断面形状は、曲面形状に形成されている、請求項１または２に記載の表示装置。
【請求項４】
前記支持部材の前方で、かつ、前記第１凹部の外側に配置されたヒートシンクをさらに備え、
前記ヒートシンクは、前記反射シートの後面のうち外周部近傍に接触する、請求項１〜３のいずれか１項に記載の表示装置。
【請求項５】
前記支持部材は、前記第１凹部と同じ方向に向かって窪んだ第２凹部を有し、前記第１凹部と前記第２凹部とにより階段状に形成されている、請求項１〜４のいずれか１項に記載の表示装置。
【請求項６】
前記第２凹部は、前記第１凹部の周囲を取り囲むように形成され、
前記カバー部材は、前記支持部材の第２凹部に嵌まり込むように配置されているとともに、前記支持部材の第１凹部を覆うように配置されている、請求項５に記載の表示装置。
【請求項７】
前記支持部材と前記カバー部材との間には、平面視において、前記第１凹部と重なる位置に基板が配置されている、請求項２に記載の表示装置。
【請求項８】
前記第１凹部と接触する前記反射シートの後面の領域の長手方向の長さは、前記支持部材全体の長手方向の長さの半分以上である、請求項１〜７のいずれか１項に記載の表示装置。
【請求項９】
前記第１凹部と接触する前記反射シートの後面の領域の短手方向の長さは、前記支持部材全体の短手方向の長さの半分以上である、請求項１〜８のいずれか１項に記載の表示装置。
【請求項１０】
前記光源から照射される光を拡散させる導光板をさらに備え、
前記導光板は、前記反射シートの前方に配置されており、
前記支持部材の第１凹部の前面は、前記反射シートを前記導光板に接触させるように配置されている、請求項１〜９のいずれか１項に記載の表示装置。
【発明の詳細な説明】
【技術分野】
【０００１】
この発明は、表示装置に関し、特に、反射シートを備える表示装置に関する。
【背景技術】
【０００２】
従来、反射シートを備える表示装置が知られている（たとえば、特許文献１参照）。
【０００３】
上記特許文献１には、筐体フロント（前部筐体）および筐体リア（後部筐体）を備える液晶表示装置が開示されている。この液晶表示装置では、筐体フロントと、筐体リアとの間には、筐体フロント側から順番に、液晶表示パネル、光学シート、導光板および反射シートが配置されている。また、筐体フロントは、液晶表示パネルの前面を保持する枠状の部分と、反射シートの後面を保持するＬ字状のフックとを有している。また、Ｌ字状のフックは、筐体フロントの枠状の部分の裏面から後方（筐体リア方向）に延びており、Ｌ字状のフックにより、反射シートの後面の外周部近傍が押さえられるように構成されている。
【先行技術文献】
【特許文献】
【０００４】
【特許文献１】特開２００３−１６７２３５号公報
【発明の概要】
【発明が解決しようとする課題】
【０００５】
しかしながら、上記特許文献１に記載の液晶表示装置では、筐体フロントの枠状の部分の裏面に形成されたＬ字状のフックにより、反射シートの外周部近傍が押さえられている一方、反射シートの後面の内側領域は、押さえられていない。このため、反射シートの内側領域が導光板から後方に離間する場合があるという問題点がある。
【０００６】
この発明は、上記のような課題を解決するためになされたものであり、この発明の１つの目的は、反射シートの内側領域が後方に離間するのを抑制することが可能な表示装置を提供することである。
【課題を解決するための手段】
【０００８】
上記目的を達成するために、この発明の一の局面による表示装置は、光源と、光源からの光を反射する反射シートと、表示パネルと、表示パネルを支持する支持部材と、支持部材の後面を部分的に覆うカバー部材とを備え、支持部材は、反射シートの後面のうち中央部から所定距離の範囲に接触するように、反射シートに向かって窪んだ第１凹部を有する。
【０００９】
上記一の局面による表示装置において、好ましくは、第１凹部は、カバー部材で覆われている領域に配置されている。
【００１０】
上記一の局面による表示装置において、第１凹部の前面の反射シートの後面と接触する領域のうちの外縁部に対応する領域の断面形状は、曲面形状に形成されている。このように構成すれば、たとえば、支持部材の第１凹部の前面の反射シートの後面と面接触している領域のうちの外縁部に対応する領域の断面形状が曲面形状ではなくＬ字形状（直角）に形成されている場合と異なり、反射シートの後面の支持部材の第１凹部の前面と面接触している領域のうちの外縁部に対応する領域近傍が圧迫されるのを抑制することができる。
【００１１】
上記一の局面による表示装置において、好ましくは、支持部材の前方で、かつ、第１凹部の外側に配置されたヒートシンクをさらに備え、ヒートシンクは、反射シートの後面のうち外周部近傍に接触する。
上記一の局面による表示装置において、好ましくは、支持部材は、第１凹部と同じ方向に向かって窪んだ第２凹部を有し、第１凹部と第２凹部とにより階段状に形成されている。
【００１２】
この場合、好ましくは、第２凹部は、第１凹部の周囲を取り囲むように形成され、カバー部材は、支持部材の第２凹部に嵌まり込むように配置されているとともに、支持部材の第１凹部を覆うように配置されている。このように構成すれば、たとえば、第１凹部上に基板などを配置した場合でも、カバー部材により基板などを隠すことができるので、ユーザにより第１凹部上に配置した基板などが視認されないようにすることができる。
【００１３】
上記第１凹部がカバー部材で覆われている領域に配置されている構成において、好ましくは、支持部材とカバー部材との間には、平面視において、第１凹部と重なる位置に基板が配置されている。
【００１５】
上記一の局面による表示装置において、好ましくは、第１凹部と接触する反射シートの後面の領域の長手方向の長さは、支持部材全体の長手方向の長さの半分以上である。このように構成すれば、支持部材の第１凹部により押圧された反射シートの後面の領域の長手方向の長さが支持部材全体の長手方向の長さの半分未満の場合と比べて、反射シートの後面の比較的広範囲の領域を押圧することができる。これによっても、反射シートの内側領域が後方に離間するのを確実に抑制することができる。
上記一の局面による表示装置において、好ましくは、第１凹部と接触する反射シートの後面の領域の短手方向の長さは、支持部材全体の短手方向の長さの半分以上である。
【００１６】
上記一の局面による表示装置において、好ましくは、光源から照射される光を拡散させる導光板をさらに備え、導光板は、反射シートの前方に配置されており、支持部材の第１凹部の前面は、反射シートを導光板に接触させるように配置されている。このように構成すれば、第１凹部により反射シートの前面の内側領域が導光板から後方に離間するのを抑制することができる。
【発明の効果】
【００１９】
本発明によれば、上記のように、反射シートの内側領域が後方に離間するのを抑制することができる。
【図面の簡単な説明】
【００２０】
【図１】本発明の一実施形態による液晶テレビジョン装置を前側から見た全体斜視図である。
【図２】本発明の一実施形態による液晶テレビジョン装置を後ろ側から見た全体斜視図である。
【図３】本発明の一実施形態による液晶テレビジョン装置の分解斜視図である。
【図４】本発明の一実施形態による液晶テレビジョン装置の背面図（後面図）である。
【図５】図４の２００−２００線に沿った断面斜視図である。
【図６】図４の２００−２００線に沿った断面図である。
【図７】図４の３００−３００線に沿った断面図である。
【図８】本発明の一実施形態による液晶テレビジョン装置の表示パネル支持部材を示す背面図（後面図）である。
【図９】本発明の一実施形態による液晶テレビジョン装置のヒートシンクおよび反射シートを示す背面図（後面図）である。
【図１０】本発明の一実施形態による液晶テレビジョン装置のブロック図である。
【発明を実施するための形態】
【００２１】
以下、本発明を具体化した実施形態を図面に基づいて説明する。
【００２２】
図１〜図１０を参照して、本発明の一実施形態による液晶テレビジョン装置１００の構成について説明する。なお、液晶テレビジョン装置１００は、本発明の「表示装置」の一例である。
【００２３】
本発明の一実施形態による液晶テレビジョン装置１００は、図１および図２に示すように、矩形形状を有する枠状の前部筐体１と、前部筐体１に収納された矢印Ｙ１方向側に表示画面を有する液晶表示パネル２と、液晶テレビジョン装置１００全体を支持するスタンド部材３とを備えている。なお、液晶表示パネル２の表示画面側を前方（前面側）（矢印Ｙ１方向側）とし、液晶表示パネル２の表示画面側とは反対側を後方（後面側）（矢印Ｙ２方向側）とする。また、前部筐体１およびスタンド部材３は、共に樹脂製である。
【００２４】
また、前部筐体１の後面側（矢印Ｙ２方向側）には、板金（ＳＥＣＣ：電気亜鉛めっき鋼板）からなる金属製の表示パネル支持部材（リアフレーム）４が配置されている。また、表示パネル支持部材４は、後方から見て、矩形形状を有しているとともに、前部筐体１よりも小さく形成されている。
【００２５】
また、図３に示すように、金属製の表示パネル支持部材４の裏面（矢印Ｙ２方向側の表面）には、樹脂製のカバー部材５が取り付けられている。このカバー部材５は、後方から見て、矩形形状を有しているとともに、前部筐体１および表示パネル支持部材４よりも小さく形成されている。また、図４に示すように、カバー部材５は、後方から見て、表示パネル支持部材４の後面（背面）の外周部近傍が逆Ｕ字形状に露出するように表示パネル支持部材４の後面を覆っている。なお、表示パネル支持部材４は、カバー部材５により覆われた領域４０１と、カバー部材５から露出した領域４０２とを有している。なお、表示パネル支持部材４のカバー部材５から露出した領域４０２と、カバー部材５とにより、後部筐体が構成されている。すなわち、表示パネル支持部材４の一部分である領域４０２は、後部筐体を構成している。
【００２６】
また、表示パネル支持部材４の後面（背面）のカバー部材５に覆われた領域４０１には、装置全体に電力を供給する機能を有する回路基板６と、信号処理を行う回路基板７とがＸ方向に所定の間隔を隔てて並べて取り付けられている。また、表示パネル支持部材４の後面（背面）の下方（矢印Ｚ２方向）には、２つのスピーカ８が取り付けられたスピーカ取付部材９（図３参照）が取り付けられている。
【００２７】
また、図３に示すように、表示パネル支持部材４の前方（矢印Ｙ１方向側）には、板金（ＳＥＣＣ）からなる金属製の１つのヒートシンク１０、後述するＬＥＤ光源１７ａから照射される光を反射する反射シート１１、ＬＥＤ光源１７ａから照射される光を拡散させる導光板１２および光拡散シート１３、光を集光させるレンズシート１４、枠状の樹脂フレーム１５、液晶表示パネル２を駆動させる液晶表示パネル駆動用基板２ａが取り付けられた液晶表示パネル２および４つのベゼル１６が配置されている。
【００２８】
また、図５および図６に示すように、導光板１２の側方（矢印Ｘ２方向）には、複数のＬＥＤから構成されるバックライト用のＬＥＤ光源１７ａが配置されている。また、ＬＥＤ光源１７ａは、ＬＥＤ基板１７ｂの矢印Ｘ１方向側の表面に取り付けられている。また、ＬＥＤ基板１７ｂの矢印Ｘ２方向側の表面（ＬＥＤ光源１７ａが取り付けられている面とは反対側の面）は、放熱テープ（シート）１８を介して、ヒートシンク１０の矢印Ｘ１方向側の表面に取り付けられている。
【００２９】
ここで、本実施形態では、図５〜図９に示すように、表示パネル支持部材４は、反射シート１１の後面のうち外周部近傍を除く内側領域（図９の斜線部分Ａ）を押圧するように反射シート１１（矢印Ｙ１方向）に向かって窪んだ１つの第１凹部４１を有している。この第１凹部４１は、後方から見て、略矩形形状を有している。また、第１凹部４１は、カバー部材５により覆われている。また、第１凹部４１の前面（図８の斜線部分Ｂ）は、反射シート１１の後面のうち外周部近傍を除く内側領域（図９の斜線部分Ａ）と面接触（図８の斜線部分Ｂ）している。また、第１凹部４１の前面（図８の斜線部分Ｂ）により、反射シート１１の内側領域（図９の斜線部分Ａ）が反射シート１１の前方に配置された導光板１２に押しつけられている（押圧されている）。
【００３０】
また、図８に示すように、表示パネル支持部材４は、第１凹部４１の周囲を取り囲むように形成された第２凹部４２を有している。この第２凹部４２には、図６および図７に示すように、カバー部材５の外縁部が嵌まり込むように構成されている。また、表示パネル支持部材４の第２凹部４２の深さＤ１は、表示パネル支持部材４の第１凹部４１の深さＤ２よりも大きい。
【００３１】
また、図８に示すように、表示パネル支持部材４の第１凹部４１の長手方向（Ｘ方向）の長さＬ１は、表示パネル支持部材４の第２凹部４２の長手方向（Ｘ方向）の長さＬ２よりも小さく、かつ、第１凹部４１の長手方向の長さＬ１は、第２凹部４２の長手方向の長さＬ２の約４分の３以上である。
【００３２】
また、表示パネル支持部材４の第１凹部４１の短手方向（Ｚ方向）の長さＬ３は、表示パネル支持部材４の第２凹部４２の短手方向（Ｚ方向）の長さＬ４よりも小さく、かつ、第１凹部４１の短手方向の長さＬ３は、第２凹部４２の短手方向の長さＬ４の約３分の２以上である。
【００３３】
また、表示パネル支持部材４の第１凹部４１の長手方向（Ｘ方向）の長さＬ１は、表示パネル支持部材４全体の長手方向（Ｘ方向）の長さＬ５よりも小さく、かつ、第１凹部４１の長手方向の長さＬ１は、表示パネル支持部材４全体の長手方向の長さＬ５の半分以上である。
【００３４】
また、表示パネル支持部材４の第１凹部４１の短手方向（Ｚ方向）の長さＬ３は、表示パネル支持部材４全体の短手方向（Ｚ方向）の長さＬ６よりも小さく、かつ、表示パネル支持部材４の第１凹部４１の短手方向の長さＬ３は、表示パネル支持部材４全体の短手方向の長さＬ６の半分以上である。
【００３５】
また、図９に示すように、表示パネル支持部材４の第１凹部４１（図８参照）により押圧された反射シート１１の後面の領域（図９の斜線部分Ａ）の長手方向（Ｘ方向）の長さＬ７は、表示パネル支持部材４全体の長手方向（Ｘ方向）の長さＬ５よりも小さく、かつ、第１凹部４１により押圧された反射シート１１の後面の領域の長手方向の長さＬ７は、表示パネル支持部材４全体の長手方向の長さＬ５の半分以上である。
【００３６】
また、表示パネル支持部材４の第１凹部４１（図８参照）により押圧された反射シート１１の後面の領域（図９の斜線部分Ａ）の短手方向（Ｚ方向）の長さＬ８は、表示パネル支持部材４（図８参照）全体の短手方向（Ｚ方向）の長さＬ６よりも小さく、かつ、表示パネル支持部材４の第１凹部４１により押圧された反射シート１１の後面の領域の短手方向の長さＬ８は、表示パネル支持部材４全体の短手方向の長さＬ６の半分以上である。
【００３７】
また、表示パネル支持部材４の第１凹部４１および第２凹部４２は、絞り加工により形成されている。また、表示パネル支持部材４の第１凹部４１の前面の反射シート１１の後面と面接触している領域（図８の斜線部分Ｂ）のうちの外縁部に対応する領域（曲面部４１ａ）（図６および図７参照）の断面形状は、曲面形状を有している。また、表示パネル支持部材４の第２凹部４２のカバー部材５が嵌まり込んでいる領域近傍の領域（曲面部４２ａ）（図６および図７参照）の断面形状は、曲面形状を有している。より詳細には、第１凹部４１の曲面部４１ａおよび第２凹部４２の曲面部４２ａの曲率半径は、表示パネル支持部材４の厚みをＲとした場合、約３Ｒ以上約６Ｒ以下である。
【００３８】
また、図６および図８に示すように、表示パネル支持部材４は、表示パネル支持部材４の外周部の３つの辺に沿って、後方（矢印Ｙ２方向側）に膨らむように形成された膨らみ部４３を有している。具体的には、膨らみ部４３は、第２凹部４２の矢印Ｘ２方向側、矢印Ｘ１方向側、および、矢印Ｚ１方向側の３つの辺の近傍に形成されている。この膨らみ部４３は、表示パネル支持部材４のカバー部材４から露出された領域４０２に配置されている。また、表示パネル支持部材４の外周部の３つの辺に沿って形成された膨らみ部４３により、表示パネル支持部材４の機械的強度が増加するので、後部筐体を構成する表示パネル支持部材４の強度を確保することが可能となる。
【００３９】
また、表示パネル支持部材４の矢印Ｘ２方向側に形成された膨らみ部４３の前面（矢印Ｙ１方向側の表面）と、反射シート１１の後面との間には、１つのヒートシンク１０が配置されている。また、表示パネル支持部材４の矢印Ｘ２方向側に形成された膨らみ部４３の前面は、ヒートシンク１０の後面（矢印Ｙ２方向側の表面）１０ｃと面接触している。また、表示パネル支持部材４の矢印Ｘ１方向側に形成された膨らみ部４３の後面（矢印Ｙ２方向側の表面）の高さ位置は、カバー部材５の後面の第２凹部４２近傍に対応する部分の高さ位置と略同じである。
【００４０】
また、図９に示すように、ヒートシンク１０は、後ろ側から見て、表示パネル支持部材４の短辺方向（Ｚ方向の辺）に沿って延びるように形成されている。また、本実施形態では、図５および図６に示すように、ヒートシンク１０の前面（矢印Ｙ１方向側の表面）１０ｄにより、反射シート１１の後面の矢印Ｘ２方向側の領域（図５、図８および図９の斜線部分Ｃ）が導光板１２に押し付けられている（押圧されている）。すなわち、本実施形態では、表示パネル支持部材４の第１凹部４１と、ヒートシンク１０の前面１０ｄとにより、反射シート１１の後面が導光板１２に押圧されている。
【００４１】
また、図３に示すように、表示パネル支持部材４の第１凹部４１の外周部分には、回路基板６および回路基板７の各々を取り付けるための複数の基板取付部４４が形成されている。また、複数の基板取付部４４の各々は、カバー部材５に向かって突出するように形成されている。また、複数の基板取付部４４の各々には、基板取付用ネジ穴４ａが形成されている。
【００４２】
また、回路基板６の外縁部には、ネジ３０を挿入するための複数のネジ挿入穴６ａが形成されている。また、複数のネジ３０の各々が回路基板６のネジ挿入穴６ａを介して表示パネル支持部材４の基板取付部４４の基板取付用ネジ穴４ａに取り付けられることにより、回路基板６が表示パネル支持部材４に対して固定されている。
【００４３】
また、回路基板７の外縁部には、ネジ３０を挿入するための複数のネジ挿入穴７ａが形成されている。また、複数のネジ３０の各々が回路基板７のネジ挿入穴７ａを介して表示パネル支持部材４の基板取付部４４の基板取付用ネジ穴４ａに取り付けられることにより、回路基板７が表示パネル支持部材４に対して固定されている。
【００４４】
また、表示パネル支持部材４の後面（底面）には、カバー部材５を取り付けるための複数のカバー部材取付用ネジ穴４ｃが形成されている。また、カバー部材５には、複数のネジ挿入穴５ａが形成されている。また、複数のネジ３０の各々がカバー部材５の複数のネジ挿入穴５ａを介して、表示パネル支持部材４のカバー部材取付用ネジ穴４ｃに取り付けられることにより、カバー部材５が表示パネル支持部材４に対して取り付けられている。なお、後方から見て、カバー部材５の左上のネジ挿入穴５ａに取り付けられたネジ３０は、回路基板６の左上のネジ挿入穴６ａを介して、表示パネル支持部材４の左上の基板取付用ネジ穴４ａに取り付けられている。
【００４５】
また、表示パネル支持部材４の後面に形成されたカバー部材取付用ネジ穴４ｃのうちの下方（矢印Ｚ２方向）に形成されたカバー部材取付用ネジ穴４ｃには、スピーカ取付部材９を挟み込むようにして、ネジ３０によりカバー部材５が取り付けられている。また、カバー部材５は、回路基板６および回路基板７と、２つのスピーカ８が取り付けられたスピーカ取付部材９とを後方から覆うように取り付けられている。
【００４６】
また、表示パネル支持部材４の後面（底面）には、外縁部に沿って、複数のネジ挿入穴４ｂが形成されている。また、複数のネジ３０の各々が表示パネル支持部材４のネジ挿入穴４ｂを介して前部筐体１の複数の後部筐体取付用ネジ穴１ａに取り付けられることにより、表示パネル支持部材４が前部筐体１に対して固定されている。
【００４７】
また、図３に示すように、ヒートシンク１０の後面（矢印Ｙ２側の表面）には、表示パネル支持部材４を取り付けるための２つの後部筐体取付用ネジ穴１０ａが形成されている。また、表示パネル支持部材４の矢印Ｘ２方向側の辺の近傍の領域には、ネジ３０を取り付けるための２つのネジ挿入穴４ｄが形成されている。また、ネジ３０が表示パネル支持部材４のネジ挿入穴４ｄを介してヒートシンク１０の後部筐体取付用ネジ穴１０ａに取り付けられることにより、表示パネル支持部材４とヒートシンク１０とが固定されている。
【００４８】
また、ヒートシンク１０の上端部および下端部には、それぞれ、ベゼル１６を取り付けるためのベゼル取付用ネジ穴１０ｂが形成されている。また、ベゼル１６には、ネジ３０を取り付けるためのネジ挿入穴１６ａが形成されている。また、ネジ３０がベゼル１６のネジ挿入穴１６ａを介して、ヒートシンク１０のベゼル取付用ネジ穴１０ｂに取り付けられることにより、ベゼル１６とヒートシンク１０とが固定されている。
【００４９】
また、表示パネル支持部材４に取り付けられた信号処理用の回路基板７は、テレビジョン放送を受信可能な受信部（チューナー）１９を有している。また、図１０に示すように、受信部１９は、液晶表示パネル２およびスピーカ８と接続されており、アンテナ２００により受信されたテレビジョン放送信号（映像信号および音声信号）のうち映像信号を液晶表示パネル２に出力するとともに、音声信号をスピーカ８に出力するように構成されている。
【００５０】
本実施形態では、上記のように、表示パネル支持部材４が反射シート１１の後面のうち外周部近傍を除く内側領域（図９の斜線部分Ａ）を押圧するように反射シート１１に向かって窪んだ第１凹部４１（図８の斜線部分Ｂ）を有することによって、たとえば、反射シート１１の外周部近傍のみを押さえる場合と異なり、表示パネル支持部材４の第１凹部４１により、反射シート１１の後面の内側領域を押圧することができるので、反射シート１１の内側領域が後方に離間するのを抑制することができる。また、表示パネル支持部材４の第１凹部４１により反射シート１１の後面の内側領域を押圧することができるので、反射シート１１を押圧するための専用の部材を別途設ける必要がない。
【００５１】
また、本実施形態では、上記のように、表示パネル支持部材４の第１凹部４１の前面（図８の斜線部分Ｂ）が、反射シート１１の後面のうち外周部近傍を除く内側領域（図９の斜線部分Ａ）と面接触した状態で、反射シート１１の後面のうち外周部近傍を除く内側領域を押圧することによって、表示パネル支持部材４の第１凹部４１の前面が、反射シート１１の後面のうち外周部近傍を除く内側領域と点接触または線接触する場合と比べて、反射シート１１を押圧する面積を大きくすることができるので、反射シート１１の内側領域が後方に離間するのを確実に抑制することができる。
【００５２】
また、本実施形態では、上記のように、表示パネル支持部材４の第１凹部４１の前面の反射シート１１の後面と面接触している領域のうちの外縁部に対応する領域の断面形状を、曲面形状に形成することによって、たとえば、表示パネル支持部材４の第１凹部４１の前面の反射シート１１の後面と面接触している領域のうちの外縁部に対応する領域の断面形状が曲面形状ではなくＬ字形状（直角）に形成されている場合と異なり、反射シート１１の後面の表示パネル支持部材４の第１凹部４１の前面と面接触している領域のうちの外縁部に対応する領域近傍が圧迫されるのを抑制することができる。
【００５３】
また、本実施形態では、上記のように、表示パネル支持部材４の第１凹部４１が反射シート１１の後面のうち外周部近傍を除く内側領域（図９の斜線部分Ａ）を押圧するのに加えて、ヒートシンク１０が反射シート１１の後面のうち外周部近傍を押圧することによって、第１凹部４１とヒートシンク１０とにより、反射シート１１の後面のうちの内側領域（図９の斜線部分Ａ）と外周部近傍との両方が押圧されるので、より確実に反射シート１１を押さえることができる。また、ＬＥＤ光源１７ａから発生した熱を放熱させるヒートシンク１０により反射シート１１の外周部近傍を押圧することができるので、反射シート１１の外周部近傍を押圧するための専用の部材を別途設ける必要がない。
【００５４】
また、本実施形態では、上記のように、カバー部材５を、表示パネル支持部材４の第２凹部４２に嵌まり込むように配置するとともに、表示パネル支持部材４の第１凹部４１を覆うように配置することによって、第１凹部４１上に回路基板６および回路基板７などを配置した場合でも、カバー部材５により回路基板６および回路基板７などを隠すことができるので、ユーザにより第１凹部４１上に配置した回路基板６および回路基板７などが視認されないようにすることができる。
【００５５】
また、本実施形態では、上記のように、表示パネル支持部材４の第２凹部４２の深さＤ１を、表示パネル支持部材４の第１凹部４１の深さＤ２よりも大きくすることによって、表示パネル支持部材４の第２凹部４２の深さＤ１が表示パネル支持部材４の第１凹部４１の深さＤ２よりも小さい場合と比べて、カバー部材５を第２凹部４２に取り付ける際に、第２凹部４２の内側面をガイドとして機能させることができるので、カバー部材５を第２凹部４２に取り付け易くすることができる。
【００５６】
また、本実施形態では、上記のように、表示パネル支持部材４を、板金製にするとともに、表示パネル支持部材４の第１凹部４１および第２凹部４２を、絞り加工により形成することによって、絞り加工により、容易に、表示パネル支持部材４に第１凹部４１および第２凹部４２を形成することができる。
【００５７】
また、本実施形態では、上記のように、表示パネル支持部材４の第１凹部４１により押圧された反射シート１１の後面の領域の長手方向（Ｘ方向）の長さＬ７を、表示パネル支持部材４全体の長手方向（Ｘ方向）の長さＬ５の半分以上にすることによって、表示パネル支持部材４の第１凹部４１により押圧された反射シート１１の後面の領域の長手方向（Ｘ方向）の長さＬ７が表示パネル支持部材４全体の長手方向（Ｘ方向）の長さＬ５の半分未満の場合と比べて、反射シート１１の後面の比較的広範囲の領域を押圧することができる。これによっても、反射シート１１の内側領域が後方に離間するのを確実に抑制することができる。
【００５８】
また、本実施形態では、上記のように、表示パネル支持部材４の第１凹部４１の前面を、反射シート１１を導光板１２に押し付けるように配置することによって、第１凹部４１により反射シート１１の前面の内側領域（図９の斜線部分Ａ）が導光板１２から後方に離間するのを抑制することができる。
【００５９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６０】
たとえば、上記実施形態では、本発明の表示装置（テレビジョン装置）の一例として液晶テレビジョン装置に本発明を適用する例を示したが、本発明はこれに限られない。たとえば、テレビジョン装置以外のパーソナルコンピュータのモニタなどの他の表示装置や液晶テレビジョン装置以外のテレビジョン装置にも本発明を適用可能である。
【００６１】
また、上記実施形態では、後部筐体を構成する表示パネル支持部材が１つの第１凹部を有する例を示したが、本発明はこれに限られない。たとえば、第１凹部が反射シートの後面のうち外周部近傍を除く内側領域を押圧するように反射シートに向かって窪んだ形状を有していれば、後部筐体を構成する表示パネル支持部材が２つ以上の第１凹部を有してもよい。
【００６２】
また、上記実施形態では、後部筐体を構成する表示パネル支持部材の第１凹部の前面が反射シートの後面のうち外周部近傍を除く内側領域と面接触する例を示したが、本発明はこれに限られない。たとえば、後部筐体を構成する表示パネル支持部材の第１凹部の前面が反射シートの後面のうち外周部近傍を除く内側領域と点接触または線接触していてもよい。
【００６３】
また、上記実施形態では、表示パネル支持部材のカバー部材により覆われている領域に第１凹部が形成される例を示したが、本発明はこれに限られない。たとえば、後部筐体の第１凹部の前面が反射シートの後面のうち外周部近傍を除く内側領域を押圧することが可能であれば、第１凹部が後部筐体のカバー部材により覆われている領域に形成されるのに加えて、第１凹部が後部筐体のカバー部材から露出された領域にも形成されていてもよい。
【００６４】
また、上記実施形態では、板金（ＳＥＣＣ）からなる金属製の表示パネル支持部材およびヒートシンクを示したが、本発明はこれに限られない。たとえば、板金（ＳＥＣＣ）以外にアルミなどの材料からなる表示パネル支持部材またはヒートシンクでも適用可能である。また、本発明の表示パネル支持部材は、樹脂製でもよい。
【００６５】
また、上記実施形態では、後部筐体を構成する表示パネル支持部材に第１凹部および第２凹部を絞り加工により形成する例を示したが、本発明はこれに限られない。たとえば、絞り加工以外の加工方法により後部筐体を構成する表示パネル支持部材に第１凹部および第２凹部を形成してもよい。
【符号の説明】
【００６６】
４  表示パネル支持部材（支持部材）
５  カバー部材
１０  ヒートシンク
１１  反射シート
１２  導光板
１７ａ  ＬＥＤ光源（光源）
１９  受信部
４１  第１凹部
４２  第２凹部
１００  液晶テレビジョン装置（表示装置）
【図１】
0005879092.tif 000002
【図２】
0005879092.tif 000003
【図３】
0005879092.tif 000004
【図４】
0005879092.tif 000005
【図５】
0005879092.tif 000006
【図６】
0005879092.tif 000007
【図７】
0005879092.tif 000008
【図８】
0005879092.tif 000009
【図９】
0005879092.tif 000010
【図１０】
0005879092.tif 000011